(57)【要約】【課題】無線信号によって複数台の表示設定を切り替えることができる表示装置、テレビジョン受信機及び表示装置の制御プログラムを提供する。【解決手段】テレビジョン受信機１００は、識別情報を含む無線信号を受信して信号を出力する無線受信部９と、識別情報と制御部１が行う制御の内容を示す制御情報とが対応付けて記憶されている記憶部７とを備え、制御部１は、無線受信部９が出力した信号を入力して、該信号から識別情報を抽出する抽出部１１、及び該抽出部１１が抽出した識別情報と前記記憶部７が読み出した識別情報とが一致するか否かを判定する判定部１２を備え、該判定部１２が一致したと判断した識別情報に対応する制御情報に従って、各機能部の制御を行う。【選択図】図１
2014039081.tif 000002
【特許請求の範囲】
【請求項１】
表示部の動作を制御する制御部を備える表示装置において、
無線通信機器から該無線通信機器に固有の識別情報を含む無線信号を受信する受信部と、
識別情報及び前記制御部が行う制御の内容を示す制御情報が対応付けて記憶されている記憶部と
を備え、
前記制御部は、前記受信部が受信した無線信号に含まれる識別情報と前記記憶部に記憶されている識別情報とが一致するか否かを判定する判定部を備え、該判定部が一致したと判定した識別情報に対応する制御情報に従って前記表示部の動作を制御することにより、前記表示部に表示する映像の内容、輝度又は色調を制御情報に従って制御するよう構成してある
ことを特徴とする表示装置。
【請求項２】
前記制御部は、前記判定部が一致したと判定した識別情報に対応する制御情報に従って、前記表示部に文字情報を表示するよう構成してある
ことを特徴とする請求項１に記載の表示装置。
【請求項３】
映像情報が記録されている映像記憶部を備え、
前記制御部は、前記判定部が一致したと判定した識別情報に対応する制御情報に従って、前記映像記憶部に記憶されている映像情報を読み出し、前記表示部に表示するよう構成してある
ことを特徴とする請求項１又は２に記載の表示装置。
【請求項４】
請求項１から３のいずれか一つに記載の表示装置と、
テレビジョン放送を受信するチューナとを備え、
該チューナにて受信したテレビジョン放送に基づいて、前記表示部に映像を表示するようにしてある
ことを特徴とするテレビジョン受信機。
【請求項５】
表示部の動作を制御するプログラムにおいて、
通信機器に固有の識別情報を含む信号を受信することにより、記憶されている識別情報及び該識別情報に対応付けられている制御内容を示す制御情報を読み出し、
受信した識別情報と読み出した識別情報とが一致するか否かを判定し、
判定した結果、両者が一致したと判断した識別情報に対応する制御情報に従って、前記表示部の動作を制御することにより、前記表示部に表示する映像の内容、輝度又は色調を任意の状態から制御情報に従った状態に切り替える
ことを特徴とするプログラム。
【発明の詳細な説明】
【技術分野】
【０００１】
本発明は、無線通信機器から信号を受信する表示装置、テレビジョン受信機及びプログラムに関する。
【背景技術】
【０００２】
表示装置には、例えば鮮明な映像を表示する店頭販売時に適した表示設定、生産時の動作確認に適した表示設定、又は修理時に行う動作確認に適した表示設定等、状況に適した表示設定がある。
【０００３】
特許文献１には、特定のカードを挿入することによって放送を視聴することができるＣＡＳ（Conditional Access System）方式を用いたテレビジョン受信機において、特定の識別情報が記憶されているカードを表示装置のカードスロットに挿入することにより、通常の表示設定から店頭展示専用の明るい画質に切り替える表示装置が記載されている。
【先行技術文献】
【特許文献】
【０００４】
【特許文献１】特開２００７−２８８４３２号公報
【発明の概要】
【発明が解決しようとする課題】
【０００５】
しかし、特許文献１に記載の表示装置は、各表示装置にＣＡＳカードを挿入しなければならない。従って台数が多くなるほど設定に長時間を要するという問題があった。
【０００６】
本発明は斯かる問題点に基づいてなされたものであり、無線信号によって複数台の表示設定を切り替えることができる表示装置、テレビジョン受信機及び表示装置の制御プログラムを提供することを目的とする。
【課題を解決するための手段】
【０００７】
本発明の表示装置は、表示部の動作を制御する制御部を備える表示装置において、無線通信機器から該無線通信機器に固有の識別情報を含む無線信号を受信する受信部と、識別情報及び前記制御部が行う制御の内容を示す制御情報が対応付けて記憶されている記憶部とを備え、前記制御部は、前記受信部が受信した無線信号に含まれる識別情報と前記記憶部に記憶されている識別情報とが一致するか否かを判定する判定部を備え、該判定部が一致したと判定した識別情報に対応する制御情報に従って前記表示部の動作を制御することにより、前記表示部に表示する映像の内容、輝度又は色調を制御情報に従って制御するよう構成してあることを特徴とする。
【０００８】
本発明によれば、受信した識別情報に対応した制御情報に従って、制御部が制御を行うので、表示装置が複数台ある場合であっても、個別に行うより短時間で表示設定を制御することができる。
【０００９】
本発明の表示装置は、前記制御部は、前記判定部が一致したと判定した識別情報に対応する制御情報に従って、前記表示部に文字情報を表示するよう構成してあることを特徴とする。
【００１０】
本発明によれば、識別情報に対応する制御情報に従って、前記表示部に文字情報を表示するので、表示装置は、識別情報毎に異なる言語の文字情報を表示することができる。
【００１１】
本発明の表示装置は、映像情報が記録されている映像記憶部を備え、前記制御部は、前記判定部が一致したと判定した識別情報に対応する制御情報に従って、前記映像記憶部に記憶されている映像情報を読み出し、前記表示部に表示するよう構成してあることを特徴とする。
【００１２】
本発明によれば、識別情報に対応する制御情報に従って、記憶部に記憶されている映像情報を読み出し、表示部に表示するので、例えば店頭販売時又は修理時等状況に応じて適切な映像を表示することができる。
【００１３】
本発明のテレビジョン受信機は、上述の記載の表示装置と、テレビジョン放送を受信するチューナとを備え、該チューナにて受信したテレビジョン放送に基づいて、前記表示部に映像を表示するようにしてあることを特徴とする。
【００１４】
本発明によれば、上述の表示装置の効果がテレビジョン受信機にて実現される。
【００１５】
本発明のプログラムは、表示部の動作を制御するプログラムにおいて、通信機器に固有の識別情報を含む信号を受信することにより、記憶されている識別情報及び該識別情報に対応付けられている制御内容を示す制御情報を読み出し、受信した識別情報と読み出した識別情報とが一致するか否かを判定し、判定した結果、両者が一致したと判断した識別情報に対応する制御情報に従って、前記表示部の動作を制御することにより、前記表示部に表示する映像の内容、輝度又は色調を任意の状態から制御情報に従った状態に切り替えることを特徴とする。
【００１６】
本発明によれば、受信した識別情報に対応した制御情報に従って、制御部が制御を行うので、表示装置が複数台ある場合であっても、個別に行うより短時間で表示設定を制御することができる。
【発明の効果】
【００１７】
本発明によれば、受信した識別情報に対応した制御情報に従って、制御部が制御を行うので、表示装置が複数台ある場合であっても、個別に行うより短時間で表示設定を制御することができる。
【図面の簡単な説明】
【００１８】
【図１】第１の実施の形態におけるテレビジョン受信機を示すブロック図である。
【図２】ＳＳＩＤテーブルを示す図表である。
【図３】第１の実施の形態における制御部の処理を示すフローチャートである。
【図４】第２の実施の形態における制御部の処理を示すフローチャートである。
【発明を実施するための形態】
【００１９】
第１の実施の形態
本発明の第１の実施の形態を説明する。図１は、第１の実施の形態におけるテレビジョン受信機１００を示すブロック図である。本実施の形態におけるテレビジョン受信機１００は、チューナ３にて受信したテレビジョン放送に基づいて、表示装置の表示部６に映像を表示するようにしたものである。
【００２０】
テレビジョン受信機１００はチューナ３を備えており、チューナ３は、外部の放送波受信アンテナ２からテレビジョン放送を受信する。テレビジョン放送は、各チャンネルの映像信号、音声信号の他、番組の題名、日時及び出演者等を示す番組情報等を表す番組情報信号等がＯＦＤＭ（Orthogonal Frequency Division Multiplexing）方式で変調された状態で含まれており、チューナ３は、その中から特定のチャンネルの信号を抽出する。チューナ３は、抽出した信号を復調部４に出力する。
【００２１】
復調部４は、抽出された信号をＭＰＥＧ（Moving Picture Experts Group）−２ＴＳ（Transport Stream）又はＭＰＥＧ４等のストリームデータに復調して復号部５へ出力する。また、復調部４は、復調処理と併せてチャンネル毎に分離された信号に誤り訂正処理を行う。
【００２２】
復号部５は、受信したストリームデータを、復号し、映像データ、音声データ及び番組情報データ等に分離する。復号部５は、映像データを液晶ディスプレイである表示部６に出力する。表示部６は、バックライト６１と表示パネル６２とを備えている。バックライト６１は制御部１から指示信号を入力することにより、輝度を調節する。表示パネル６２には、復号部５から入力された映像が表示される。復号部５は、音声データをスピーカ１０に出力する。
【００２３】
記憶部７はＨＤＤであり、ＳＳＩＤ（Service Set Identifier）テーブル７１を備える。図２はＳＳＩＤテーブル７１を示す図表である。ＳＳＩＤテーブル７１には、識別情報欄に後述する識別情報であるＳＳＩＤが記憶され、制御情報欄にＳＳＩＤが入力された場合の制御部１が行う処理を示す制御情報が対応付けて記憶されている。図２に示すように、識別情報欄には、ＳＳＩＤ「ＳＥＩＳＡＮＭＯＤＥ１」、「ＳＥＩＳＡＮＭＯＤＥ２」、「ＳＥＩＳＡＮＭＯＤＥ３」、「ＴＥＮＴＯＵＭＯＤＥ１」、「ＴＥＮＴＯＵＭＯＤＥ２」と、ＳＳＩＤ夫々に対応する制御部１の処理が記憶されている。制御部１の具体的な処理については後述する。
【００２４】
記憶部７は、さらに表示部６に表示される文字又は数字等の情報並びにデモ映像等の映像情報が記憶された表示情報記憶部７２を備える。文字情報は複数の言語についての情報が記憶されている。
【００２５】
無線受信部９は、無線ＬＡＮの規格に基づき、アクセスポイント９０から送信された無線信号を受信する。無線信号には、アクセスポイント９０に固有のＳＳＩＤが含まれている。無線受信部９は、アクセスポイント９０より送信された無線信号を受信すると、無線信号と同じＳＳＩＤを含んだ信号を制御部１の入出力部１４に出力する。
【００２６】
制御部１は、ＣＰＵ（Central Processing Unit）がＲＯＭ（Read Only Memory）に予め格納されている制御プログラムを適宜ＲＡＭ（Random Access Memory）に読み出して、各部の動作を制御するコンピュータである。ＲＯＭは、ＥＥＲＯＭ（electrically erasable ROM）又はフラッシュメモリ等で構成され、テレビジョン受信機１００が動作するために必要な種々の制御プログラムを予め格納してある。ＲＡＭはＳＲＡＭ (Static RAM)又はフラッシュメモリ等であり、制御部１による制御プログラムの実行時に発生する種々のデータを一時的に記憶する。
【００２７】
制御部１の入出力部１４が無線受信部９から出力された信号を入力し、抽出部１１は、無線受信部９から入力した信号からＳＳＩＤを抽出する。判定部１２は、ＳＳＩＤテーブル７１を読み出し、ＳＳＩＤテーブル７１に記憶されているＳＳＩＤと、抽出部１１から入力されたＳＳＩＤとを比較し、両者が一致するか否かを判定する。判定部１２は、判定の結果両者が一致した場合には、制御処理部１３に制御情報を出力し、制御処理部１３が制御情報に従った制御処理を行うよう、入出力部１４を介して指示信号を出力する。
【００２８】
遠隔制御受信部８は、赤外線通信を行うフォトセンサである。遠隔制御受信部８は、遠隔制御装置８０から送信された赤外線の遠隔制御信号を受信し、電気信号に変換して制御部１に出力する。
【００２９】
遠隔制御信号は、例えばチャンネルの切替又は番組表の表示等各部の指示、映像設定の選択等を行うための信号である。例えばチャンネルの選択を行う遠隔制御信号が入力された場合は、制御部１はチューナ３に指示信号を出力し、チャンネルを切り替える。また、通常の視聴に適した輝度で表示部６が映像を表示する通常設定、映画の視聴に適した輝度で表示部６が映像を表示する映画設定等、映像表示の設定を選択する。
【００３０】
制御処理部１３は、抽出したＳＳＩＤに従って処理を行い、テレビジョン受信機１００の設定を切り替える。
【００３１】
なお、テレビジョン受信機１００、１００、…が複数台有る場合に、アクセスポイント９０からＳＳＩＤが送信された場合には、受信した複数台のテレビジョン受信機１００、１００、…は同じ処理を行う。
【００３２】
例えば生産工場にアクセスポイント９０が設置されており、アクセスポイント９０から、ＳＳＩＤ「ＳＥＩＳＡＮＭＯＤＥ１」が送信されているとする。制御処理部１３は、ＳＳＩＤ「ＳＥＩＳＡＮＭＯＤＥ１」が入力された場合、記憶されているＳＳＩＤテーブル７１から、ＳＳＩＤ「ＳＥＩＳＡＮＭＯＤＥ１」に対応する表示設定である第１生産設定に係る処理の情報を読み出し、実行する。即ち、制御処理部１３は入出力部１４を介して、生産工場の放送環境に沿ったチャンネル設定を行うよう指示する信号をチューナ３に出力する。
【００３３】
生産工場のアクセスポイント９０から、ＳＳＩＤ「ＳＥＩＳＡＮＭＯＤＥ２」が送信されているとする。制御処理部１３は、ＳＳＩＤ「ＳＥＩＳＡＮＭＯＤＥ２」が入力された場合、記憶されているＳＳＩＤテーブル７１から、ＳＳＩＤ「ＳＥＩＳＡＮＭＯＤＥ２」に対応する表示設定である第２生産設定に係る処理の情報を読み出し、実行する。即ち、制御処理部１３は、入出力部１４を介して表示情報記憶部７２から表示部６に出力する文字情報の言語を読み出す際に、英語の文字情報を読み出すよう設定する信号を出力する。
【００３４】
生産工場のアクセスポイント９０から、ＳＳＩＤ「ＳＥＩＳＡＮＭＯＤＥ３」が送信されているとする。制御処理部１３は、ＳＳＩＤ「ＳＥＩＳＡＮＭＯＤＥ３」が入力された場合、記憶されているＳＳＩＤテーブル７１から、ＳＳＩＤ「ＳＥＩＳＡＮＭＯＤＥ３」に対応する表示設定である第３生産設定に係る処理の情報を読み出し、実行する。テレビジョン受信機１００には、一般の遠隔制御装置８０とは異なる生産工場専用の遠隔制御装置があり、表示パネル６２の輝度の調節、内蔵音の発生等の制御を行うことができる。斯かる生産工場用の遠隔制御装置の遠隔制御信号を受信し、制御部１が処理することが可能となるよう、制御処理部１３は、入出力部１４を介して、表示パネル６２に指示信号を出力する、又は内蔵音の信号をスピーカ１０に出力する。
【００３５】
例えば電気店の店頭にアクセスポイント９０が設置されており、アクセスポイント９０から、ＳＳＩＤ「ＴＥＮＴＯＵＭＯＤＥ１」が送信されているとする。制御処理部１３は、ＳＳＩＤ「ＴＥＮＴＯＵＭＯＤＥ１」が入力された場合、記憶されているＳＳＩＤテーブル７１から、ＳＳＩＤ「ＴＥＮＴＯＵＭＯＤＥ１」に対応する表示設定である第１店頭設定に係る処理の情報を読み出し、実行する。即ち、制御処理部１３は、入出力部１４を介して記憶部７の表示情報記憶部７２から店頭でのデモ画面用の映像を読み出し、画面用の映像を表示させる指示信号を表示部６に出力する。
【００３６】
例えば電気店の店頭にアクセスポイント９０が設置されており、アクセスポイント９０から、ＳＳＩＤ「ＴＥＮＴＯＵＭＯＤＥ２」が送信されているとする。制御処理部１３は、ＳＳＩＤ「ＴＥＮＴＯＵＭＯＤＥ２」が入力された場合、記憶されているＳＳＩＤテーブル７１から、ＳＳＩＤ「ＴＥＮＴＯＵＭＯＤＥ２」に対応する表示設定である第２店頭設定にするよう、処理を行う。即ち、制御処理部１３は、入出力部１４を介して表示部６にバックライト６１の光量を上昇させ、コントラストを強調するよう色調を設定する指示信号を表示部６に出力する。
【００３７】
制御部１の動作処理について説明する。図３は第１の実施の形態における制御部１の処理を示すフローチャートである。制御部１は、無線受信部９が無線信号を受信したか否かを判定する（Ｓ１）。無線受信部９が無線信号を受信していない場合は（Ｓ１でＮＯ）、制御部１は待機を続ける（Ｓ１に戻す）。無線受信部９が無線信号を受信した場合は（Ｓ１でＹＥＳ）、制御部１は、無線受信部９から入力した無線信号に対応する信号からＳＳＩＤを抽出する（Ｓ２）。また、制御部１は、記憶部７からＳＳＩＤテーブル７１を読み出す（Ｓ３）。制御部１は、抽出したＳＳＩＤがＳＳＩＤテーブル７１に含まれているＳＳＩＤと一致するか否かを判定する（Ｓ４）。含まれていない場合は（Ｓ４でＮＯ）、制御部１は、待機状態に戻る（Ｓ１に戻す）。含まれている場合は（Ｓ４でＹＥＳ）、制御部１は、その時点における表示設定を読み出す（Ｓ５）。制御部１は、その時点における表示設定と抽出したＳＳＩＤの表示設定とが一致するか否かを判定し（Ｓ６）、両者の表示設定とが一致する場合には（Ｓ６でＹＥＳ）、該表示設定を維持し、処理を終了する。両者の表示設定が一致しない場合には（Ｓ６でＮＯ）、テレビジョン受信機１００を制御情報に従った設定に切り替え（Ｓ７）、処理を終了する。
【００３８】
以上、本実施の形態によれば、受信した識別情報に対応した制御情報に従って、制御部１が制御を行うので、表示装置が複数台ある場合であっても、個別に制御を行うより短時間で表示設定を制御することができる。
【００３９】
なお、表示装置がＳＳＩＤを入力することにより切り替える設定の種類は、上述したものに限られない。例えば特定の色調にする設定、又は３次元映像を表示する設定等であってもよい。また、ＳＳＩＤテーブル７１と表示情報記憶部７２とは別の記憶部であってもよい。
【００４０】
第２の実施の形態
本発明の第２の実施の形態について説明する。第２の実施の形態では、受信した識別情報に対応した制御情報に従って、制御部１が表示設定を切り替えた後、一定時間識別情報を受信しなかった場合には、表示設定を再び受信前の設定に切り替える。
【００４１】
本実施の形態では、制御処理部１３は計時機能を備えている。記憶部７は、ＳＳＩＤに従って設定を切り替えた後にも、切り替え前の設定を示す情報が記憶されている。制御処理部１３は、無線受信部９が一定時間ＳＳＩＤを受信しなくなったと判定した場合に、切り替え前の設定を記憶部７から読み出して、テレビジョン受信機１００を切り替え前の設定に切り替える。
【００４２】
制御部１の動作処理について説明する。図４は第２の実施の形態における制御部１の処理を示すフローチャートである。Ｓ１１〜Ｓ１７は上述したＳ１〜Ｓ７と同様であるため、省略する。Ｓ１７においてテレビジョン受信機１００を制御情報に従った設定に切り替えた後に、制御部１は、切り替え前の設定についての制御情報を記憶部７に記憶する（Ｓ１８）。制御部１は、無線受信部９がＳＳＩＤを含む無線信号を受信したか否かを判定する（Ｓ１９）。無線受信部９が無線信号を受信した場合は（Ｓ１９でＹＥＳ）、制御部１は、受信した制御情報に従った設定を維持し、処理を終了する。
【００４３】
無線受信部９が無線信号を受信していない場合は（Ｓ１９でＮＯ）、制御部１は計時を開始し（Ｓ２０）、一定期間内に制御部１がＳＳＩＤを含む無線信号を受信したか否かを判定する（Ｓ２１）、一定期間内に制御部１がＳＳＩＤを含む無線信号を受信した場合は（Ｓ２１でＹＥＳ）、処理を終了する。一定時間以内に受信しなかった場合には（Ｓ２１でＮＯ）、記憶部７から切り替え前の設定を示す情報を読み出し（Ｓ２２）、テレビジョン受信機１００を切り替え前の設定に戻し（Ｓ２３）、処理を終了する。
【００４４】
本実施の形態によれば、一定時間識別情報を受信しなかった場合には、制御部１は表示設定を再び受信前の設定に切り替える。従って、無線信号を一旦受信して例えば修理時など、特定の場所のみで特定の表示設定にすることが必要な場合に、特定の場所から搬出することで、受信前の設定に戻すことができるので、個別に制御を行うより短時間で表示設定を制御することができる。
【００４５】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４６】
１  制御部
１１  抽出部
１２  判定部
１３  制御処理部
１４  入出力部
２  アンテナ
３  チューナ
４  復調部
５  復号部
６  表示部
６１  バックライト
６２  表示パネル
７  記憶部
７１  ＳＳＩＤテーブル
７２  表示情報記憶部
８  遠隔制御受信部
９  無線受信部
１０  スピーカ
８０  遠隔制御装置
９０  アクセスポイント
１００  テレビジョン受信機
【図１】
2014039081.tif 000003
【図２】
2014039081.tif 000004
【図３】
2014039081.tif 000005
【図４】
2014039081.tif 000006